(57)【要約】【課題】レシートに関連した情報提供をより効果的に行えるようにする。【解決手段】実施形態の動画配信装置は、識別手段、選択手段及び出力手段を備える。識別手段は、レシートを撮影して得られた画像に基づいてレシートに関する予め定められた項目についての識別を行う。選択手段は、識別手段による識別結果に応じて、複数の動画のうちの少なくとも１つを選択する。出力手段は、選択手段により選択された動画を情報端末に出力する。【選択図】      図３
2019193075.tif 000002
【特許請求の範囲】
【請求項１】
レシートを撮影して得られた画像に基づいて前記レシートに関する予め定められた項目についての識別を行う識別手段と、
前記識別手段による識別結果に応じて、複数の動画のうちの少なくとも１つを選択する選択手段と、
前記選択手段により選択された前記動画を情報端末に出力する出力手段と、
を具備した動画配信装置。
【請求項２】
前記取得手段により取得される画像の変化に応じて、前記出力手段が出力する前記動画の表示形態を変更する変更手段、
をさらに備えた請求項１に記載の動画配信装置。
【請求項３】
前記識別手段は、前記レシートの発行者を識別する、
請求項１又は請求項２に記載の動画配信装置。
【請求項４】
前記情報端末の使用者を認証する認証手段と、
前記認証手段により認証された使用者に対して、前記情報端末での前記動画の表示状況に応じて特典を付与するための予め定められた情報処理を行う処理手段と、
をさらに具備する請求項１−請求項３のいずれか一項に記載の動画配信装置。
【請求項５】
動画配信装置に備えられたコンピュータを、
レシートを撮影して得られた画像に基づいて前記レシートに関する予め定められた項目についての識別を行う識別手段と、
前記識別手段による識別結果に応じて、複数の動画のうちの少なくとも１つを選択する選択手段と、
前記選択手段により選択された前記動画を情報端末に出力するように出力デバイスを制御する制御手段と、
して機能させるための情報処理プログラム。
【発明の詳細な説明】
【技術分野】
【０００１】
本発明の実施形態は、動画配信装置及び情報処理プログラムに関する。
【背景技術】
【０００２】
レシートの一部に広告画像を印刷することは、広く行われている。
しかしながら、広告を印刷することができる領域が限られている上に、静止画像であるために、効果的な広告とはならないことが少なくなかった。なお、レシート用紙の使用量を増やせば、表現できる情報の量を増やすことが可能であり、広告を効果的とすることができるかもしれないが、レシート用紙のコストが増大してしまう。
このような事情から、レシートに関連した情報提供をより効果的に行えることが望まれていた。
【先行技術文献】
【特許文献】
【０００３】
【特許文献１】特開２０１１−１４５８５５号公報
【発明の概要】
【発明が解決しようとする課題】
【０００４】
本発明が解決しようとする課題は、レシートに関連した情報提供をより効果的に行える動画配信装置及び情報処理プログラムを提供することである。
【課題を解決するための手段】
【０００５】
実施形態の動画配信装置は、識別手段、選択手段及び出力手段を備える。識別手段は、レシートを撮影して得られた画像に基づいてレシートに関する予め定められた項目についての識別を行う。選択手段は、識別手段による識別結果に応じて、複数の動画のうちの少なくとも１つを選択する。出力手段は、選択手段により選択された動画を情報端末に出力する。
【図面の簡単な説明】
【０００６】
【図１】一実施形態に係る広告サーバの要部回路構成と、当該広告サーバを含んだ広告提供システムの概略構成とを示す図。
【図２】図１中のロゴ管理データベースに含まれるデータレコードのデータ構造の一例を示す図。
【図３】図１中のプロセッサにより実行される情報処理の手順を示すフローチャート。
【図４】撮影動画の中のフレームの一例を示す図。
【図５】重畳動画の中のフレームの一例を示す図。
【図６】重畳動画の中のフレームの一例を示す図。
【発明を実施するための形態】
【０００７】
以下、実施の形態の一例について図面を用いて説明する。なお、本実施の形態では、動画配信装置としての機能を備えた広告サーバを例に説明する。
図１は本実施形態に係る広告サーバ１０の要部回路構成と、当該広告サーバ１０を含んだ広告提供システム１００の概略構成とを示す図である。
この広告提供システム１００は、広告サーバ１０を、情報端末２０及び会員サーバ３０と通信ネットワーク４０を介して通信可能とすることで構成されている。なお、広告提供システム１００には、典型的には複数の情報端末２０が含まれるが、図１においては１つのみを示している。
【０００８】
広告サーバ１０は、情報端末２０に対して広告のための動画を配信するための情報処理を行う。なお本実施形態においては、広告サーバ１０は、所持ポイントに応じた特典を与えるポイントサービスの会員を対象として動画を配信するものとする。
【０００９】
情報端末２０は、上記の会員が利用可能で、通信ネットワーク４０を介して広告サーバ１０にアクセスしてクライアントとして機能する任意の情報処理装置である。情報端末２０は、有線通信及び無線通信のいずれにより通信ネットワーク４０に接続されるものであってもよい。情報端末２０は、動画を撮影するカメラを内蔵するか、又は外付けされる。情報端末２０としては、スマートフォン、タブレット端末、携帯電話装置、あるいはパーソナルコンピュータなどの既存の様々な装置が適用可能である。そこで、情報端末２０の詳細についての説明は省略する。
【００１０】
通信ネットワーク４０は、インターネット、ＶＰＮ（virtual private network）、ＬＡＮ（local area network）、公衆通信網、移動体通信網などを、単独又は適宜に組み合わせて用いることができる。通信ネットワーク４０は、典型的には、インターネット及び移動体通信網を組み合わせたものである。
【００１１】
会員サーバ３０は、ポイントサービスの会員を管理するための情報処理を行う。会員サーバ３０は、内蔵又は外付けされた記憶デバイスに会員データベースＤＢ１を保持している。会員データベースＤＢ１は例えば、会員の個々を識別するための会員コードに関連付けて、認証用のパスワード、会員の氏名及び住所、会員が所持するポイント数などの会員データを記憶する。
【００１２】
広告サーバ１０は、プロセッサ１１、メインメモリ１２、補助記憶デバイス１３、通信インタフェース１４及び伝送路１５を備える。プロセッサ１１と、メインメモリ１２、補助記憶デバイス１３及び通信インタフェース１４とは、伝送路１５によって接続される。プロセッサ１１、メインメモリ１２及び補助記憶デバイス１３が伝送路１５によって接続されることにより、広告サーバ１０を制御するための情報処理を行うコンピュータを構成している。
【００１３】
プロセッサ１１は、上記コンピュータの中枢部分に相当する。プロセッサ１１は、オペレーティングシステム、ミドルウェア及びアプリケーションプログラム等の情報処理プログラムに従った情報処理を実行することで、広告サーバ１０としての各種の機能を実現するべく各部を制御する。
【００１４】
メインメモリ１２は、上記コンピュータの主記憶部分に相当する。メインメモリ１２は、不揮発性のメモリ領域と揮発性のメモリ領域とを含む。メインメモリ１２は、不揮発性のメモリ領域では上記の情報処理プログラムを記憶する。またメインメモリ１２は、プロセッサ１１が各部を制御するための処理を実行する上で必要なデータを不揮発性又は揮発性のメモリ領域で記憶する場合もある。メインメモリ１２は、揮発性のメモリ領域を、プロセッサ１１によってデータが適宜書き換えられるワークエリアとして使用する。
【００１５】
補助記憶デバイス１３は、上記コンピュータの補助記憶部分に相当する。補助記憶デバイス１３は、例えばＥＥＰＲＯＭ（electric erasable programmable read-only memory）、ＨＤＤ（hard disc drive）、ＳＳＤ（solid state drive）、あるいはその他の周知の各種の記憶デバイスを利用できる。補助記憶デバイス１３は、プロセッサ１１が各種の処理を行う上で使用するデータと、プロセッサ１１での処理によって生成されたデータとを保存する。補助記憶デバイス１３は、上記の情報処理プログラムを記憶する場合もある。
【００１６】
通信インタフェース１４は、通信ネットワーク４０を介したデータ通信を行う。通信インタフェース１４としては、例えばインターネットを介したデータ通信のための周知の処理を行うように構成された周知のものを用いることができる。
伝送路１５は、アドレスバス、データバス及び制御信号線等を含み、接続されている各部の間で授受されるデータや制御信号を伝送する。
【００１７】
広告サーバ１０は例えば、ハードウェアとしてサーバ用の汎用のコンピュータ装置を用い、後述の情報処理について記述した情報処理プログラムをメインメモリ１２又は補助記憶デバイス１３に書き込むことによって実現できる。なお、当該の情報処理プログラムは、広告サーバ１０の譲渡の際にメインメモリ１２又は補助記憶デバイス１３に記憶されていてもよいし、上記の汎用のコンピュータ装置とは別に譲渡されてもよい。後者の場合、情報処理プログラムは、磁気ディスク、光磁気ディスク、光ディスク、半導体メモリなどのようなリムーバブルな記録媒体に記録して、あるいはネットワークを介して譲渡される。
【００１８】
さて、補助記憶デバイス１３の記憶領域の一部は、ロゴ管理データベースＤＢ２として利用される。また補助記憶デバイス１３が記憶するデータには、複数のロゴ画像データＤＡ１及び複数の動画ファイルＤＡ２を含む。ロゴ画像データＤＡ１は、物販店等で発行されるレシートに店舗ロゴとしてプリントされるロゴ画像を表す画像データである。動画ファイルＤＡ２は、広告のために配信する動画を表した動画ファイルである。
【００１９】
図２はロゴ管理データベースＤＢ２に含まれるデータレコードＤＲ１のデータ構造の一例を示す図である。
ロゴ管理データベースＤＢ２は、当該データレコードＤＲ１の集合である。データレコードＤＲ１は、ロゴ画像データＤＡ１が表すロゴに関連付けられる。データレコードＤＲ１は、フィールドＦＩ１，ＦＩ２，ＦＩ３を含む。
【００２０】
フィールドＦＩ１には、関連付けられたロゴを識別するために予め定められたロゴコードがセットされる。フィールドＦＩ２には、関連付けられたロゴを表すロゴ画像データのファイル名がセットされる。フィールドＦＩ３には、関連付けられたロゴがプリントされたレシートに関して配信する動画を選択する条件を表したデータがセットされる。
なお、フィールドＦＩ１〜ＦＩ３にそれぞれセットされるデータは、例えば広告サーバ１０の管理担当者により決定されて、当該担当者の指示の下にプロセッサ１１によって書き込まれる。
【００２１】
次に以上のように構成された広告提供システム１００の動作について説明する。
会員は、広告サーバ１０により配信される広告を視聴したい場合は、当該会員が所持する情報端末２０において、広告視聴のためのアプリケーションプログラムを起動する。そうすると情報端末２０は、通信ネットワーク４０を介して広告サーバ１０にアクセスし、会員コード及びパスワードの通知を伴って認証を要求する。
【００２２】
広告サーバ１０においてプロセッサ１１は、上記のような情報端末２０からのアクセスを受けると、以下に説明するような情報処理をメインメモリ１２又は補助記憶デバイス１３に記憶された情報処理プログラムに従って実行する。
図３はプロセッサ１１により実行される情報処理の手順を示すフローチャートである。なお、以下に説明する処理の内容は一例である。一部の処理が置換、削除、追加あるいは順番変更されてもよい。
【００２３】
Ａｃｔ１としてプロセッサ１１は、情報端末２０の利用者が広告提供サービスの会員であることの認証処理を行う。プロセッサ１１は具体例としては、上記のように通知された会員コード及びパスワードで認証される会員の存否を会員サーバ３０に問い合わせる。そしてプロセッサ１１は、会員サーバ３０からの回答を受けて、利用者が会員サーバ３０にて会員として管理されていることが確認できた場合には、情報端末２０の利用者を広告提供サービスの会員として認証する。つまりプロセッサ１１は、ポイントサービスの会員を広告提供サービスの会員とする。なお、互いに異なる複数のポイントサービスのそれぞれに対応した複数の会員サーバ３０が広告提供システム１００に含まれてもよい。そしてプロセッサ１１は、複数の会員サーバ３０のそれぞれに会員の存否を問い合わせて、いずれかの会員サーバ３０から存在する旨の回答があった場合に広告提供の会員として認証してもよい。あるいはプロセッサ１１は、広告提供サービスの会員に関して補助記憶デバイス１３に予め保存された会員データに基づいて、情報端末２０の利用者の認証を行ってもよい。そしてプロセッサ１１は、情報端末２０の利用者が広告提供サービスの会員であることが認証できたならば、Ａｃｔ２へと進む。なおプロセッサ１１は、広告提供サービスの会員であることの認証に失敗したならば、Ａｃｔ２へは進まない。この場合にプロセッサ１１は、新たな会員コード及びパスワードを取得しての認証のやり直しを行うようにしてもよいし、エラーとして図３に示す処理を終了してもよい。かくしてプロセッサ１１は、情報端末２０の使用者である会員を認証する。つまり情報処理プログラムに基づく情報処理をプロセッサ１１が実行することによって、プロセッサ１１を中枢部分とするコンピュータは上記の認証を行う認証手段として機能する。
【００２４】
さて、認証が完了したならば会員は、情報端末２０の動画撮影機能を起動する。あるいは、情報端末２０が、広告視聴のためのアプリケーションプログラムに基づく情報処理によって動画撮影機能を起動する。情報端末２０は、動画撮影機能により撮影した動画（以下、撮影動画と称する）をリアルタイムで広告サーバ１０へと送信する。そして会員は、自らが任意の物販店などにて受け取り済みのレシートを、動画撮影機能の視野内に位置させる。
【００２５】
Ａｃｔ２としてプロセッサ１１は、情報端末２０にて撮影が開始されるのを待ち受ける。そして上記のように撮影が開始されて撮影動画が送られてくると、Ａｃｔ２にてＹｅｓと判定し、Ａｃｔ３へと進む。
【００２６】
Ａｃｔ３としてプロセッサ１１は、動画のストリーミング送信を開始する。なおプロセッサ１１はこの時点においては、情報端末２０から送られてきた撮影動画を、そのままストリーミング送信の対象とする。
【００２７】
Ａｃｔ４としてプロセッサ１１は、識別処理を開始する。識別処理は、情報端末２０から送られてきている撮影動画に映り込んでいるロゴを識別するための処理である。このロゴ識別処理においてプロセッサ１１は具体例としては、複数のロゴ画像データＤＡ１がそれぞれ表すロゴ画像のいずれかと類似する画像が撮影動画の中に含まれるか否かを確認する。プロセッサ１１は、該当する画像が撮影動画に含まれていた場合に、その画像に類似するロゴ画像を表しているロゴ画像データのファイル名がフィールドＦＩ２にセットされているデータレコードＤＲ１をロゴ管理データベースＤＢ２から選択する。プロセッサ１１は、選択したデータレコードＤＲ１のフィールドＦＩ１にセットされているロゴコードを、撮影動画に映り込んでいるロゴのコードとして判定する。プロセッサ１１は、この識別処理を、図３に示す情報処理と並行して実行する。かくしてプロセッサ１１は、この識別処理において、レシートを撮影して得られた画像に基づいてレシートに関する予め定められた項目としてのロゴについての識別を行う。つまり情報処理プログラムに基づく情報処理をプロセッサ１１が実行することによって、プロセッサ１１を中枢部分とするコンピュータは、そのような識別を行う識別手段として機能する。
【００２８】
Ａｃｔ５としてプロセッサ１１は、識別処理によりロゴの識別に成功したか否かを確認する。そしてプロセッサ１１は、識別処理によりロゴコードが判定できていないならばＮｏと判定し、Ａｃｔ６へと進む。
Ａｃｔ６としてプロセッサ１１は、情報端末２０における撮影が終了されたか否かを確認する。プロセッサ１１は、撮影動画が引き続き送られてきているならばＮｏと判定し、Ａｃｔ５へと戻る。
かくしてプロセッサ１１はＡｃｔ５及びＡｃｔ６としては、ロゴの識別に成功するか、撮影が終了されるのを待ち受ける。そしてプロセッサ１１は、識別処理によりロゴコードが判定されたならば、Ａｃｔ５にてＹｅｓと判定し、Ａｃｔ７へと進む。
【００２９】
Ａｃｔ７としてプロセッサ１１は、複数の広告動画のうちから配信の対象となる広告動画を選択する。プロセッサ１１は具体例としては、識別処理により判定されたロゴコードがフィールドＦＩ１にセットされているデータレコードＤＲ１をロゴ管理データベースＤＢ２から選択する。プロセッサ１１は、選択したデータレコードＤＲ１のフィールドＦＩ３にセットされているデータが表す選択条件に基づいて複数の広告動画のうちから少なくとも１つを選択する。なお選択条件は一例としては、「ファイル名が×××である動画ファイルで表される広告動画を選択。」である。また選択条件は別例としては、「ランダムに１つの広告動画を選択。」である。選択条件を具体的にどのようなものとするかは任意であり、例えば広告配信サービスの管理者、ポイントサービスの管理者、あるいは広告主などによって定められてよい。かくしてプロセッサ１１は、識別結果に応じて、複数の動画のうちの少なくとも１つを選択する。つまり、情報処理プログラムに基づく情報処理をプロセッサ１が実行することによって、プロセッサ１１を中枢部分とするコンピュータは上記の選択を行う選択手段として機能する。
【００３０】
Ａｃｔ８としてプロセッサ１１は、重畳処理を開始する。重畳処理は、上記のように選択した広告動画を、ストリーミング送信中の撮影動画へと重畳する処理である。プロセッサ１１は具体例としては、選択した広告動画を、対応する動画ファイルＤＡ２に基づいて再生する。そしてプロセッサ１１は、情報端末２０から送られてきている撮影動画に、上記のように再生した広告動画を重畳する。そしてプロセッサ１１は、このように撮影動画に広告動画を重畳して得られた動画（以下、重畳動画と称する）をストリーミング送信する。なおプロセッサ１１は、本実施形態においては、撮影動画においてロゴが映り込んでいる領域に広告動画を重畳する。
【００３１】
図４は撮影動画の中のフレームＦＬ１の一例を示す図である。
当該フレームＦＬ１には、ロゴＬＯ１がプリントされたレシートＲＥ１が映り込んでいる。
【００３２】
図５は重畳動画の中のフレームＦＬ２の一例を示す図である。
当該フレームＦＬ２は、図４に示すフレームＦＬ１をベースとし、広告動画ＶＩ１を重畳したものである。なお、図５においては、広告動画ＶＩ１はその範囲のみを表し、画像の内容についての図示は省略している。
さらにプロセッサ１１は、本実施形態においては、撮影動画に映り込んでいるレシートの傾きを計算し、重畳させる際の広告動画の傾きを変化させる。
【００３３】
図６は重畳動画の中のフレームＦＬ３の一例を示す図である。
当該フレームＦＬ３は、撮影画像に映り込んだレシートＲＥ１が傾いた状態であることに応じて、同様に傾けた状態で広告動画ＶＩ１を重畳したものである。
【００３４】
なおプロセッサ１１は、Ａｃｔ７にて複数の広告動画を選択した場合には、１つの広告動画を最後まで重畳し終えた後、別の広告動画の重畳を開始する。プロセッサ１１は、以上の様な重畳処理を、図３に示す情報処理と並行して実行する。
【００３５】
以上のように重畳動画を送信することにより、Ａｃｔ７にて選択した広告動画が情報端末２０へと出力されることとなる。つまり情報処理プログラムに基づく情報処理をプロセッサ１１が実行することによって、プロセッサ１１を中枢部分とするコンピュータは、上記の出力を行う出力手段として機能する。
また、取得された撮影動画における画像の変化に応じて、出力手段として出力する重畳動画の表示形態を変更していることとなる。つまり情報処理プログラムに基づく情報処理をプロセッサ１１が実行することによって、プロセッサ１１を中枢部分とするコンピュータは、上記の変更を行う変更手段として機能する。
【００３６】
Ａｃｔ９としてプロセッサ１１は、情報端末１１での撮影が終了したか否かを確認する。そしてプロセッサ１１は、撮影動画が引き続き送られてきているならばＮｏと判定し、Ａｃｔ１０へと進む。
Ａｃｔ１０としてプロセッサ１１は、選択した全ての広告動画を重畳し終えたか否かを確認する。そしてプロセッサ１１は、まだ重畳し終えてないならばＮｏと判定し、Ａｃｔ９へと戻る。
かくしてプロセッサ１１はＡｃｔ９及びＡｃｔ１０においては、撮影が終了するか、あるいは広告動画を重畳し終えるのを待ち受ける。
【００３７】
そしてプロセッサ１１は、広告動画の全てを重畳し終えているならばＡｃｔ１０にてＹｅｓと判定し、Ａｃｔ１１へと進む。
Ａｃｔ１１としてプロセッサ１１は、重畳処理を終了する。
【００３８】
Ａｃｔ１２としてプロセッサ１１は、ポイント付与のための処理を行う。プロセッサ１１は具体例としては、広告動画を最後まで視聴したことへの報酬としての予め定められたポイントを、Ａｃｔ１にて認証した会員が所持するポイント数に加算するよう会員サーバ３０に要求する。会員サーバ３０は、この要求に応じてポイントを加算する。かくしてプロセッサ１１は、認証された使用者としての会員に対して、情報端末２０での動画の表示状況に応じて特典を付与するための予め定められた情報処理としてのポイント加算のための処理を行う。つまり情報処理プログラムに基づく情報処理をプロセッサ１１が実行することによって、プロセッサ１１を中枢部分とするコンピュータは上記の処理を行う処理手段として機能する。
【００３９】
プロセッサ１１はこののち、Ａｃｔ５及びＡｃｔ６の待受状態に戻る。ただしプロセッサ１１は、このようにＡｃｔ５及びＡｃｔ６の待受状態に戻った場合にＡｃｔ５では、前回にＡｃｔ５にてＹｅｓと判定したときに識別処理により判定されていたロゴコードとは別のロゴコードが識別処理により判定された場合に新たにＹｅｓと判定する。
【００４０】
さてプロセッサ１１は、情報端末２０が、会員の指示又は何らかの事情により撮影を終了し、撮影動画を送信しなくなると、Ａｃｔ６又はＡｃｔ９にてＹｅｓと判定し、Ａｃｔ１３へと進む。
Ａｃｔ１３としてプロセッサ１１は、情報端末２０に対するストリーミング送信を終了する。そしてプロセッサ１１は、これをもって図３に示す情報処理を終了する。つまりこれらのときにプロセッサ１１はＡｃｔ１２を実行せず、ポイントを付与しない。
【００４１】
以上のように広告サーバ１０は、会員が情報端末２０に撮影させたレシートにプリントされているロゴを識別し、当該ロゴに関連付けられた広告動画を情報端末２０へと送信する。従って、レシートに関連した動画を会員に視聴させることができ、レシートを用いたこれまでの広告に比べて、情報提供をより効果的に行える。
【００４２】
ところでレシートにプリントされたロゴは、一般的にレシートの発行者を表す。つまり広告サーバ１０は、ロゴを識別することによって、レシートの発行者を識別していることになる。そして広告サーバ１０は、レシートの発行者に関連付けられた動画を送信していることになる。この結果、レシートの発行者毎に、異なった動画を提供することができる。つまり、例えばレシートの発行者が希望する動画を会員に提供できる。そして会員は、撮影させるレシートを変更することによって、様々な動画を視聴できる。
【００４３】
また広告サーバ１０は、撮影動画に広告動画を重畳した重畳動画を情報端末２０に送信する。さらに広告サーバ１０は、撮影動画でのレシートの傾きにあわせて重畳動画での広告動画の傾きを変更する。このため、会員が情報端末２０に撮影させているレシートを傾ければ、これに応じて重畳動画における広告動画の傾きが変化することになる。つまり、仮想現実（virtual reality）のような形態での広告提供が行われる。このため、単なる動画再生に比べて、広告視聴に関する会員のモチベーションを高めることができる。
【００４４】
また広告サーバ１０は、提供するものとして選択した広告動画を最後まで情報端末２０へと送ることができた場合には、会員に対してポイントを付加することにより特典を付与する。これによっても、広告視聴に関する会員のモチベーションを高めることができる。
【００４５】
この実施形態は、次のような種々の変形実施が可能である。
配信する動画は、広告のためのものには限られない。また、レシートから識別する項目は、ロゴには限られない。例えば、レシートに買上商品として予め定められた商品が示されているか否かを識別し、その商品に関する使用法を説明する動画を送信するなどのように、変更することができる。
【００４６】
重畳動画における撮影動画への広告動画の重畳の形態は、任意に変更が可能である。例えば、ディスプレイ装置の外観を表した画像をレシートに載せた状態で表した上で、当該ディスプレイ装置の画面に広告動画を嵌め込んだ状態の動画を重畳動画としてもよい。
【００４７】
広告サーバ１０は、重畳動画に代えて、広告動画のみを送信してもよい。
【００４８】
情報端末２０の利用者が会員登録のない者である場合にも、広告サーバ１０から情報端末２０への広告動画の送信を行ってもよい。あるいは、情報端末２０の利用者が会員及び非会員のいずれであるかに拘わらずに、広告サーバ１０から情報端末２０への広告動画の送信を行ってもよい。
【００４９】
広告動画の視聴に対して付与する特典は、ポイントの付加には限らず、クーポンの発行などの他のどのような特典であってもよい。また、特典を付与する条件は、例えば広告動画の８０％を送信し終えた場合など、任意に定められてよい。また当該の特典の付与は、全く行わなくてもよい。
【００５０】
情報処理によりプロセッサ１１が実現する各機能は、その一部または全てをロジック回路などのようなプログラムに基づかない情報処理を実行するハードウェアにより実現することも可能である。また上記の各機能のそれぞれは、上記のロジック回路などのハードウェアにソフトウェア制御を組み合わせて実現することも可能である。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１…プロセッサ、２…情報端末、１０…広告サーバ、１１…プロセッサ、１２…メインメモリ、１３…補助記憶デバイス、１４…通信インタフェース、１５…伝送路、２０…情報端末、３０…会員サーバ、４０…通信ネットワーク、１００…広告提供システム。
【図１】
2019193075.tif 000003
【図２】
2019193075.tif 000004
【図３】
2019193075.tif 000005
【図４】
2019193075.tif 000006
【図５】
2019193075.tif 000007
【図６】
2019193075.tif 000008